【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
サンプルを１種又は複数の組織学的染色剤と接触させる工程、及びサンプルを脂肪族化合物の組成物と接触させる工程を含んでなり、かつ脂肪族化合物の組成物が脂肪族化合物及び低級アルコール又はカバースリップ溶媒のいずれかより本質的になる、生体サンプルを染色する方法。
【請求項２】
生体サンプルがワックス包埋生体サンプルを含んでなり、そしてサンプルを脂肪族化合物の組成物と接触させる工程が、サンプルが脱ワックスされた後に実施される、請求項１記載の方法。
【請求項３】
生体サンプルを１種又は複数の組織学的染色剤と接触させる工程が、生体サンプルをヘマトキシリン及びエオシンと接触させることより本質的になる、請求項１記載の方法。
【請求項４】
方法が自動化されている、請求項１記載の方法。
【請求項５】
カバースリップ溶媒及びカバースリップ溶媒中に溶解された脂肪族化合物より本質的に成り、さらに、カバースリップ溶媒中に溶解された接着剤を含んでいてもよいカバースリップ組成物をサンプルに適用する工程、及び
カバースリップされたサンプルがカバースリップ溶媒単独を使用してカバースリップされる実質的に同様なサンプルに比較して、増加したコントラスト並びに細胞及び非細胞質（ｓｕｂ−ｃｅｌｌｕｌａｒ）の鮮明度（ｄｅｆｉｎｉｔｉｏｎ）を示す、カバースリップ組成物が適用されたサンプルをカバースリップする工程を含んでなる、
顕微鏡スライド上の染色された生体サンプルのカバースリップ方法。
【請求項６】
カバースリップ組成物が約０．５％〜約３５％の脂肪族化合物を含んでなる、請求項１又は５記載の方法。
【請求項７】
カバースリップ溶媒が脂肪族炭化水素、芳香族炭化水素又はテルペンの１種又は複数を含んでなる、請求項１又は５記載の方法。
【請求項８】
方法がカバースリップの自動化された操作である、請求項５記載の方法。
【請求項９】
カバースリップする工程が前以て接着された（ｐｒｅ−ｇｌｕｅｄ）カバースリップでカバースリップする工程を含んでなる、請求項５記載の方法。
【請求項１０】
組成物が更に、カバースリップ用接着剤より本質的になる、請求項５記載の方法。
【請求項１１】
カバースリップ溶媒及び脂肪族化合物を含んでなる、カバースリップ組成物。
【請求項１２】
脂肪族化合物が脂肪酸、脂肪酸エステル、脂肪アルコール、脂肪アミン、脂肪エーテル、ポリシロキサン及びポリエーテルの１種又は複数を含んでなる、請求項５記載の方法又は請求項１１記載の組成物。
【請求項１３】
脂肪族化合物が約２０℃で約１ｇ／Ｌ未満の水溶性を有する、請求項５記載の方法又は請求項１１記載の組成物。
【請求項１４】
カバースリップ組成物がカバースリップ溶媒及びカバースリップ溶媒中に溶解された脂肪族化合物より本質的になり、さらに、カバースリップ溶媒中に溶解されたカバースリップ用接着剤を含んでいてもよい、請求項１１記載の組成物。
【請求項１５】
カバースリップ溶媒がリモネン、キシレン、アルカン及びトルエンの１種又は複数を含んでなる、請求項１１記載の組成物。
【請求項１６】
組織化学的技法を使用してサンプルを処理して、染色されたサンプルを提供する工程、
サンプルからの溶媒の蒸発を促進する条件下でサンプルを高温にさらす工程、及び
サンプルからの溶媒の蒸発を促進する条件下でサンプルを高温にさらす工程の前、その期間中又はその後に、サンプルを脂肪族化合物と接触させる工程
を含んでなる、顕微鏡スライド上の生体サンプルの処理方法。
【手続補正２】
【補正対象書類名】明細書
【補正対象項目名】００７６
【補正方法】変更
【補正の内容】
【００７６】
本発明の原理は幾つかの例示された態様に関連して説明されてきたが、態様の詳細はこのような原理から逸脱せずに修飾することができることは当業者に明白であるに違いない。例えば、例示された実施例は染色法の特定の工程でサンプルと接触された脂肪族化合物を包含するが、脂肪族化合物は染色法のいずれの自動化染色法又はいずれの手動染色法とともに使用してもよい。特別に例示された染色法の変法は異なるアルコール試薬（イソプロパノールのような）及び他のカバースリップ溶媒(キシレン又はアルカン溶媒のような)を使用することができる。本発明は、特許請求の範囲の請求項に係る発明の修飾物、改変物及び均等物を包含する。また、本発明の主たる態様として、以下のものを挙げることができる。
態様１：サンプルを１種又は複数の組織学的染色剤と接触させ、そしてサンプルを脂肪族化合物の組成物と接触させる方法を含んでなり、かつ脂肪族化合物の組成物が脂肪族化合物及び低級アルコール又はカバースリップ溶媒のいずれかより本質的になる、生体サンプルを染色する方法。
態様２：脂肪族化合物が約２０℃で約１．０ｇ／Ｌ未満の水溶性を有する、態様１の方法。
態様３：脂肪族化合物が非洗剤の脂肪族化合物を含んでなる、態様１の方法。
態様４：生体サンプルがワックス包埋生体サンプルを含んでなり、そしてサンプルを脂肪族化合物の組成物と接触させる方法が、サンプルが脱ワックスされた後に実施される、態様１の方法。
態様５：生体サンプルを１種又は複数の組織学的染色剤と接触させる方法が、生体サンプルをヘマトキシリン及びエオシンと接触させる方法より本質的になる、態様１の方法。
態様６：方法が自動化されている、態様１の方法。
態様７：複数のサンプルが染色され、そして新鮮な試薬が各サンプルに対して使用される、態様６の方法。
態様８：脂肪族化合物が洗剤、脂肪酸、脂肪酸エステル、脂肪アルコール、脂肪アミン、脂肪エーテル、ポリシロキサン、ポリエーテル及びイソプレノイドの１種又は複数を含んでなる、態様１の方法。
態様９：脂肪族化合物が脂肪酸、脂肪酸エステル、脂肪アルコール、脂肪アミン及び脂肪エーテルの１種又は複数を含んでなる、態様１の方法。
態様１０：脂肪族化合物が脂肪エーテル、脂肪アミン、脂肪酸エステル及び脂肪アルコールの１種又は複数を含んでなる、態様１の方法。
態様１１：脂肪族化合物が脂肪アルコール、脂肪エーテル及び脂肪アミンの１種又は複数を含んでなる、態様１の方法。
態様１２：脂肪族化合物が１種又は複数のＣ８〜Ｃ２０脂肪アルコールを含んでなる、態様１の方法。
態様１３：脂肪族化合物が１種又は複数のＣ８〜Ｃ２０不飽和脂肪アルコールを含んでなる、態様１の方法。
態様１４：脂肪族化合物の組成物が約０．５％〜約３５％の脂肪族化合物を含んでなる、態様１の方法。
態様１５：カバースリップ溶媒が脂肪族炭化水素、芳香族炭化水素又はテルペンの１種又は複数である、態様１の方法。
態様１６：カバースリップ溶媒がリモネンである、態様１の方法。
態様１７：サンプルを脂肪族化合物の組成物で処理する方法がサンプルをカバースリップする方法よりなる、態様１の方法。
態様１８：カバースリップ溶媒、カバースリップ溶媒中に溶解された脂肪族化合物及び、場合により、カバースリップ溶媒中に溶解された接着剤より本質的になるカバースリップ組成物をサンプルに適用し、そして
カバースリップされたサンプルがカバースリップ溶媒単独を使用してカバースリップされる実質的に同様なサンプルに比較して、増加したコントラスト並びに細胞及び非細胞質（ｓｕｂ−ｃｅｌｌｕｌａｒ）の鮮明度（ｄｅｆｉｎｉｔｉｏｎ）を示す、カバースリップ組成物が適用されたサンプルをカバースリップする方法を含んでなる、
顕微鏡スライド上の染色された生体サンプルのカバースリップ方法。
態様１９：脂肪族化合物が洗剤、脂肪酸、脂肪酸エステル、脂肪アルコール、脂肪アミン、脂肪エーテル、ポリシロキサン、ポリエーテル及びイソプレノイドの１種又は複数を含んでなる、態様１８の方法。
態様２０：脂肪族化合物が脂肪酸、脂肪酸エステル、脂肪アルコール、脂肪アミン及び脂肪エーテルの１種又は複数を含んでなる、態様１８の方法。
態様２１脂肪族化合物が脂肪エーテル、脂肪アミン、脂肪酸エステル及び脂肪アルコールの１種又は複数を含んでなる、態様１８の方法。
態様２２：脂肪族化合物が脂肪アルコール、脂肪エーテル及び脂肪アミンの１種又は複数を含んでなる、態様１８の方法。
態様２３：脂肪族化合物が１種又は複数のＣ８〜Ｃ２０脂肪アルコールを含んでなる、態様１８の方法。
態様２４：脂肪族化合物が１種又は複数のＣ８〜Ｃ２０不飽和脂肪アルコールを含んでなる、態様１８の方法。
態様２５：脂肪族化合物が約２０℃で約１ｇ／Ｌ未満の水溶性を有する、態様１８の方法。
態様２６：カバースリップ組成物が約０．５％〜約３５％の脂肪族化合物を含んでなる、態様１８の方法。
態様２７：カバースリップ溶媒が脂肪族炭化水素、芳香族炭化水素又はテルペンの１種又は複数を含んでなる、態様１８の方法。
態様２８：カバースリップ溶媒がリモネンを含んでなる、態様１８の方法。
態様２９：カバースリップの自動化された方法である、態様１８の方法。
態様３０：サンプルが組織学的に染色されたサンプルを含んでなる、態様１８の方法。
態様３１：カバースリップする方法が前以て接着された（ｐｒｅ−ｇｌｕｅｄ）カバースリップでカバースリップする方法を含んでなる、態様１８の方法。
態様３２：組成物が更に、本質的にカバースリップ用接着剤よりなる、態様１８の方法。
態様３３：増加されたコントラスト並びに細胞及び非細胞質の鮮明度が明視野顕微鏡を使用して観察される、態様１８の方法。
態様３４：カバースリップ溶媒及び脂肪族化合物を含んでなる、カバースリップ組成物。
態様３５：脂肪族化合物が洗剤、脂肪酸、脂肪酸エステル、脂肪アルコール、脂肪アミン、脂肪エーテル、ポリシロキサン、ポリエーテル及びイソプレノイドの１種又は複数を含んでなる、態様３４の組成物。
態様３６：脂肪族化合物が脂肪酸、脂肪酸エステル、脂肪アルコール、脂肪アミン及び脂肪エーテルの１種又は複数を含んでなる、態様３４の組成物。
態様３７：脂肪族化合物が脂肪エーテル、脂肪アミン、脂肪酸エステル及び脂肪アルコールの１種又は複数を含んでなる、態様３４の組成物。
態様３８：脂肪族化合物が脂肪アルコール、脂肪エーテル及び脂肪アミンのうちの１種又は複数を含んでなる、態様３４の組成物。
態様３９：脂肪族化合物が１種又は複数のＣ８〜Ｃ２０脂肪アルコールを含んでなる、態様３４の組成物。
態様４０：脂肪族化合物が１種又は複数のＣ８〜Ｃ２０不飽和脂肪アルコールを含んでなる、態様３４の組成物。
態様４１：脂肪族化合物が約２０℃で約１ｇ／Ｌ未満の水溶性を有する、態様３４の組成物。
態様４２：カバースリップ組成物が本質的にカバースリップ溶媒、カバースリップ溶媒中に溶解された脂肪族化合物及び、場合により、カバースリップ溶媒中に溶解されたカバースリップ用接着剤よりなる、態様３４の組成物。
態様４３：カバースリップ溶媒がリモネン、キシレン、アルカン及びトルエンの１種又は複数を含んでなる、態様３４の組成物。
態様４４：組織化学的技法を使用してサンプルを処理して、染色されたサンプルを提供し、
サンプルからの溶媒の蒸発を促進する条件下でサンプルを高温にさらし、そして
サンプルからの溶媒の蒸発を促進する条件下でサンプルを高温にさらす前、その期間中又はその後に、サンプルを脂肪族化合物と接触させる方法を含んでなる、
顕微鏡スライド上の生体サンプルの処理方法。
態様４５：溶媒の蒸発を促進する条件下でサンプルを高温にさらす方法が、対流式オーブンでサンプルを加熱する方法又は輻射ヒーターでサンプルを加熱する方法を含んでなる、態様４４の方法。
態様４６：サンプルを脂肪族化合物と接触させる方法が、脂肪族化合物と接触されなかった実質的に同様なサンプルに比較して、サンプルをさらす方法により生成される人口産物（ａｒｔｉｆａｃｔｓ）を減少させる、態様４４の方法。
態様４７：サンプルを脂肪族化合物と接触させる方法がサンプル中に認められる細胞及び非細胞質の鮮明度を増加する、態様４４の方法。
態様４８：組織化学的方法が組織学的染色法を含んでなる、態様４４の方法。
態様４９：組織学的染色法が本質的に、サンプルをヘマトキシリン及びエオシンと接触させる方法よりなる、態様３１の方法。
態様５０：少なくとも２５％の溶媒がサンプルから蒸発される、態様４４の方法。
態様５１：溶媒が低級アルカノールを含んでなる、態様４４の方法。
態様５２：脂肪族化合物の沸点が約２００℃を超える、態様４４の方法。
態様５３：脂肪族化合物が洗剤、脂肪酸、脂肪酸エステル、脂肪アルコール、脂肪アミン、脂肪エーテル、ポリシロキサン、ポリエーテル及びイソプレノイドの１種又は複数を含んでなる、態様４４の方法。
態様５４：脂肪族化合物が脂肪酸、脂肪酸エステル、脂肪アルコール、脂肪アミン及び脂肪エーテルの１種又は複数を含んでなる、態様４４の組成物。
態様５５：脂肪族化合物が脂肪エーテル、脂肪アミン、脂肪酸エステル及び脂肪アルコールの１種又は複数を含んでなる、態様４４の組成物。
態様５６：脂肪族化合物が脂肪アルコール、脂肪エーテル及び脂肪アミンのうちの１種又は複数を含んでなる、態様４４の方法。
態様５７：脂肪族化合物が１種又は複数のＣ８〜Ｃ２０脂肪アルコールを含んでなる、態様４４の方法。
態様５８：脂肪族化合物が１種又は複数のＣ８〜Ｃ２０不飽和脂肪アルコールを態様４４の方法。
態様６０：サンプルを暴露した後に、サンプルを脂肪族化合物と接触させる、態様４４の方法。
態様６１：高温が約３５℃〜約１４０℃の間の温度を含んでなる、態様４４の方法。
態様６２：脂肪族化合物が有機溶媒中に溶解される、態様４４の方法。
態様６３：脂肪族化合物が約０．５％〜約３５％の濃度で有機溶媒中に溶解される、態様６２の方法。
態様６４：有機溶媒が低級アルカノールを含んでなる、態様６２の方法。
態様６５：低級アルカノールがエタノールを含んでなる、態様６４の方法。
態様６６：有機溶媒がテルペンである、態様６２の方法。
態様６７：テルペンがリモネンを含んでなる、態様６６の方法。
態様６８：工程が自動化されている、態様４４の方法。
態様６９：複数のサンプルが処理され、そして各サンプルが新鮮な試薬で処理される、態様６８の方法。
態様７０：サンプルが脱パラフィン化溶媒を使用して脱パラフィン化された後に、サンプルを脂肪族化合物と接触させる、態様４４の方法。
態様７１：脱パラフィン化溶媒がサンプルから実質的に除去された後に、サンプルを脂肪族化合物と接触させる、態様７０の方法。
態様７２：サンプルが組織化学的方法で処理された後に、サンプルを脂肪族化合物と接触させる、態様４４の方法。
態様７３：組織化学的方法が組織学的染色法を含んでなる、態様４４の方法。
態様７４：サンプルがカバースリップされる時にサンプル上に存在する脂肪族化合物の量が約１μＬ〜約３０μＬである、態様４４の方法。
態様７５：人口産物が、サンプルから溶媒の蒸発を促進する条件下で、サンプルを高温にさらす方法により誘発される核乾燥人口産物を含んでなる、態様４６の方法。